(57)【要約】【課題】  従来、電力は水力・火力・原子力発電等があり、長い間、人の生活を支えて来た。最近は、石油燃料が発するＣＯ２や原子力の放射能漏れが地球環境に悪影響を及ぼす事が明確になった。【解決手段】  本発明は、ＣＯ２の発生や放射能漏れを気にする事も無く、地球に優しい自然エネルギーを利用して、新しく電気を作るものである。その方法とは▲１▼高圧ポンプ０５が水を直射して水車タービン０６を回し新しい電力を作り、循環系統が水と新しく出来た電力を常時循環させる。▲２▼一般家庭の上水道メーター２９の後方に枡２８を設け、水道蛇口３０を開くと水が流れて水中コマ２７を回転させ電力を作る方法。▲３▼家の向きに合わせて風を効率よく取り込み、お椀型フアン２１で電気を作り兜型の保護板２２で台風や大風からお椀型フアン２１を守る。▲４▼永久磁石１９の内側１８と外側磁石を反転させ弱電流を送り磁気の反発能力を利用して発電する。▲５▼人のリハビリ運動量に応じて発電する。【選択図】図１
2014005820.tif 000002
【特許請求の範囲】
【請求項１】
高圧直射ポンプ０５で高圧水に変わった水を専用のノズルで丸型水車タービン０６に直射する。
【請求項２】
ノズルの直射水で水車タービン０６は回転する。回転を速める為に側面工夫して遠心力を誘発し、高速回転を促す。
【請求項３】
水車タービン０６の中心部をシャフトで固定してベアリング０８で受け、連結したプーリー大０７にも遠心力を誘発する工夫をする。
【請求項４】
高圧水から水に戻った水は一旦ミニタンクで溜められ浄水器１６で浄化された後、吸上ポンプ１７で水槽タンク１５へ戻される。
【請求項５】
一般家庭に引き込まれている上水道のメーター２９の後方に立方体の枡２８を設け、頭部にエア抜きを設ける。底面の中心部１５ｃｍを二重底にして外枡と内枡に分け外枡は水漏れ防止用とし、内枡は発電用とする。内枡の中心５ｃｍの半径に水中コマ２７を取付、シャフトで繋ぎ枡外でベアリングで固定する。
【請求項６】
水道蛇口３０が開くと水流で水中コマ受け外周が下へ押し下がり、水中コマ２７が水流で回転し、水中コマ２７に繋がれたシャフトも回転してベアリングで支えられたダイナモ３２も回転し発電する。
【請求項７】
お椀型フアン２１が僅かな風でも回転するよう工夫し、最大限風が流れる場所に設置する。
【請求項８】
風がどの方向から吹いても良いようにお椀型フアン２１本体を工夫する。つまり、台風など強風の時にお椀型フアン２１を守る為の兜型の保護板２２を取付ける
【請求項９】
兜型保護板２２は強風になるほど閉じるよう工夫する。
【請求項１０】
永久磁石１９に弱電気を流し磁気を強める。永久磁石１９を外輪固定用と内輪回転用に反転セットする
【請求項１１】
磁気は反発して、内輪１８が回り新しいエネルギーが発生する。内輪１８の中心部にシャフトを取付ベアリングで受ける。
【請求項１２】
リハビリ発電２５や絆発電２４は家族が協力して電気を作りエネルギーの大切さを認識する為に発電装置を回転運動器具に伝動する。漏電事故を防ぐ為、人が直接ふれる場所は完ぺきに保護する。
【発明の詳細な説明】
【発明の詳細な説明】
【０００１】  本発明は、人々の日常生活が快適に送れるように、自然エネルギーを利用して、新たな電力を作る▲５▼ッの発電機の開発を行なう。
▲１▼水車発電は、始動スイッチ０１をＯＮに入れると、１２Ｖバッテリー０２と０３を直流に繋いだ２４Ｖの電流が流れ、電圧変圧器０４で１００Ｖに変圧して高圧ポンプ０５に送電する。
高圧ポンプ０５は、蒸留水補給口１３から濾過装置１４を抜けて水槽タンク１５で溜められた水を吸上げ、高圧直射水を作り出し、丸型水車タービン羽根０６に直射する。丸型水車タービン０６は水の圧力で回転し遠心力も作用して高速回転する。丸型水車タービン０６の中心部にシャフトを取付抵抗の少ない高速ベアリング０８で両端を固定して高速回転を促す。シャフトに取付けたプーリー大０７とダイナモプーリ小０９の間にＶベルト１０を掛けて回転エネルギーを更に増加させダイナモ１１で常時高速発電する。ダイナモ１１で作られた電気は始動スイッチ０１に戻りバッテリー０２と０３を充電する。この繰り返しで電気は常に循環する。余剰電力は一旦蓄電池１２に溜めて用途に合わせて送電する。
水の循環は、水車タービン０６に直射した高圧直射水は排水口を抜けて浄水器１６で浄化され真水巡回パイプを通り吸上げポンプ１７で水槽タンク１５に戻される。
▲２▼水圧発電の特徴は、一般家庭の上水道メーター２９の後方に、枡２８を設けエア抜きをして圧力が落ちない様にし、その枡２８の底に風車型の水中コマ２７をはめ込み水道蛇口３０が開き水が流れた時に回転ようにセットする。水中コマ２７の中心にシャフトを繋ぎ高速ベアリングで固定してダイナモ３２で発電する。新たに出来た電力は一旦蓄電池１２に溜めて用途に合わせて送電する。
尚、上水道の水は人の体の中に入るので害の無いものを採用し、使用済みの水は排水溝３１へ流される。
▲３▼風力発電は建物の山付き・海付き・凹凸や午前・午後・夜間に気圧が変わり気流が変化する。その一番風の当たる場所にお椀型フアン２１を個別に設置してエネルギーを取り込む。
お椀型フアン２１の中心にシャフトを繋ぎ高速ベアリングで固定してダイナモ２３で発電する。新たに出来た電力は一旦蓄電池１２に溜めて用途に合わせて送電する。風を効率よく取り込むためお椀型フアン２１を兜型の保護板２２で囲む、兜型保護板２２は台風の時や風の強い時には閉じ、無風の時は全開するよう仕組を作る。
▲４▼磁気発電は、永久磁石１９の外側磁石を固定して、内側磁石１８は回転するようセットする。エネルギーを取り込むためシャフトで繋ぎ高速ベアリングで受けて固定する。内側磁石１８と外側磁石双方に弱電流を流し高速回転を促し、ダイナモ２０で発電する。新たに出来た電力は一旦蓄電池１２に溜めて用途に合わせて送電する。
▲５▼リハビリ発電は、機能回復訓練２５を受けている人が、自宅で機能回復訓練２５をしている時に発電量が判る様な発電システムを作り上げる。人は目標が有るとある程度は頑張れるものであるので発電すると云う意欲が機能回復にも役立つ。
絆発電２４は、家族団々のひと時を楽しく過ごす為に、家の中に、お洒落な容量計を設置して発電量が人目で解る様にして置く、運動用自転車や上肢運動用輪転機、その他運動器具を動かすと回転スピードに比例してダイナモ２６が発電する仕組を作って置くと楽しく発電ができる。
万一の時の為に、人が触れる場所やお漏らし漏電する場所は、しっかりとガードする。運動量に応じてダイナモ２６が電気を発電する。
新たに出来た電力は一旦蓄電池１２に溜めて用途に合わせて送電する。
蓄電池１２に溜められた電力は電力会社所有のブレーカー３３に送られる。
【０００２】  従来、電力は水力発電、火力発電、原子力発電などがあり、これらは日本の民に文化的な生活を与えてきた。しかし、最近では地球温暖化や環境問題がクローズアップされエネルギー源の見直しが行われて、太陽光発電、風力発電などが新しく利用されている。その他にも地熱発電等々の開発研究が行なわれエネルギー源も徐々に変化している。
【０００３】  本発明は、比較的、手に入り易く安全な水と風と磁気が原材料であり、従来の水力・火力・原子力発電とは違い、増水の心配やＣＯ２の発生それに放射能漏れを起こさない小型の簡易型発電機である。
人は物やエネルギーが無限に有ると思って無駄に使って来た。その意識を改めるきっかけになったのが平成２３年度の大地震である。その意識を忘れない為にも、家庭に発電機を設置し、エネルギーが身近に感じられる様にした。
ずっと先の将来、この発電機が改良されてパワーアップして多くの人が使用すると地球温暖化防止と地球環境浄化に繋がる。
【０００４】  実施例では、予算の関係で丸型水車タービン０６の側面を工夫して遠心力誘導を行い、シャフト、プーリー大０７等に繋いだ材質を鉄製で試作したので重量や装置が嵩んだが、それでも、発電量は相当数発生していると考えられる。これを、パワーアップするため、軽金属やプラスチック、その他の材質に変えて再度試験すると相当数の電力が作られていると考えられる。
【０００５】  本発明は、▲１▼発電機がそれぞれ独立し構造が割りと簡単なので、修理が簡単に出来て部品が安価に手に入る。▲２▼原料が自然界の物であるので利用者に金銭的な負担を掛けない。▲３▼石油を使用しないのでＣＯ２を発せない。▲４▼原子力発電の様な放射能の心配をしなくて良い。▲５▼原料が自然界の物であるので地球環境に優しく最も優れた発電機である。▲６▼この発電機を産業界が製造展開すると雇用や景気に貢献できる。
【図面の簡単な説明】
【０００６】
【図１】この図面は、水力・風力・磁気とリハビリ絆発電の仕組を示す図面である。
【符号の説明】
【０００７】０１．始動スイッチ
０２．１２Ｖバッテリー
０３．１２Ｖバッテリー
０４．電圧変圧器
０５．高圧ポンプ
０６．水車タービン
０７．プーリー大
０８．高速ベアリング
０９．ダイナモプーリー小
１０．Ｖベルト
１１．ダイナモ
１２・蓄電池
１３．蒸留水補給口
１４．濾過装置
１５．水槽タンク
１６．浄水器
１７．吸上げポンプ
１８．内側磁石
１９．永久磁石
２０．ダイナモ
２１．お椀型フアン
２２．兜型保護板
２３．ダイナモ
２４．絆発電
２５．機能回復訓練
２６．ダイナモ
２７．水中コマ
２８．枡
２９．上水道メーター
３０．水道蛇口
３１．排水溝
３２．ダイナモ
３３．ブレーカー
【図１】
2014005820.tif 000003